(57)【要約】【課題】パケット毎のデータ量が変化し、かつ、単位時間当たりに送受信するパケット数が変化するパケット通信を行なう無線通信端末にて、送受信したデータ量の測定、伝送速度の測定、通信料の算出等を可能とする。【解決手段】受信したパケットの数及び１パケット当たりのデータ量を記憶し、予め定められた統計処理手順に従って、記憶したパケット数及びデータ量を処理した後、その結果を記憶する。【選択図】　　　図１
2004032020.tif 000002
【特許請求の範囲】
【請求項１】
１パケット当たりのデータ量及び単位時間当たりに送出するパケット数が、通信状況に応じて変化するパケット通信を行なう無線通信端末で、伝送したパケットに関する統計処理を行なう方法において、
受信したパケットの数及び１パケット当たりのデータ量を記憶する段階１と、予め定められた統計処理手順に従って、記憶した前記パケット数及びデータ量を処理する段階２と、
前記処理の結果を記憶する段階３と
を含むことを特徴とする無線通信端末のパケット統計処理方法。
【請求項２】
請求項１に記載の無線通信端末のパケット統計処理方法において、
更に、前記無線通信端末の位置情報を記憶する段階を含み、
前記段階２で前記位置情報を参照して前記処理を行なう
ことを特徴とする無線通信端末のパケット統計処理方法。
【請求項３】
請求項２に記載の無線通信端末のパケット統計処理方法において、前記無線通信端末はＧＰＳ（Ｇｌｏｂａｌ　Ｐｏｓｉｔｉｏｎｉｎｇ　Ｓｙｓｔｅｍ）を備え、前記位置情報を前記ＧＰＳから取得することを特徴とする無線通信端末のパケット統計処理方法。
【請求項４】
請求項１乃至３のいずれかに記載の無線通信端末のパケット統計処理方法において、前記統計処理手順は、予め定められた数のパケットを受信する毎に、平均の伝送速度を求めることを特徴とする無線通信端末のパケット統計処理方法。
【請求項５】
請求項１乃至３のいずれかに記載の無線通信端末のパケット統計処理方法において、前記統計処理手順は、予め定められた時間毎に、送受信したパケットの数を求めることを特徴とする無線通信端末のパケット統計処理方法。
【請求項６】
請求項１乃至３のいずれかに記載の無線通信端末のパケット統計処理方法において、前記統計処理手順は、予め定められた数のパケットを送受信する毎に、パケットを大きさに応じて区分して、各区分の構成比を求めることを特徴とする無線通信端末のパケット統計処理方法。
【請求項７】
パケットの１パケット当たりのデータ量及び単位時間当たりに送出するパケット数が、通信状況に応じて変化するパケット通信を行なう無線通信端末において、
受信したパケットの数及び１パケット当たりのデータ量を記憶する第１の記憶装置と、
統計処理手順を記憶する第２の記憶装置と、
前記統計処理手順に従って、前記第１の記憶装置に記憶された前記パケット数及びデータ量を処理する処理装置と、
前記処理装置の出力を記憶する第３の記憶装置と
を備えることを特徴とする無線通信端末。
【請求項８】
請求項７に記載の無線通信端末において、
更に、前記無線通信端末の位置情報を取得する手段を備え、
前記第１の記憶装置は更に前記位置情報取得手段から取得した位置情報を記憶し、
前記処理装置は前記位置情報を参照して前記処理を行なう
ことを特徴とする無線通信端末。
【請求項９】
請求項８に記載の無線通信端末において、前記位置情報取得手段はＧＰＳ（Ｇｌｏｂａｌ　Ｐｏｓｉｔｉｏｎｉｎｇ　Ｓｙｓｔｅｍ）であることを特徴とする無線通信端末。
【請求項１０】
請求項７乃至９のいずれかに記載の無線通信端末において、
前記第２の記憶装置は複数の前記統計処理手順を格納し、
前記処理装置は、前記複数の統計処理手順のいずれかに従って処理を実行することを特徴とする無線通信端末。
【請求項１１】
請求項７乃至１０のいずれかに記載の無線通信端末において、前記第２の記憶装置は、前記統計処理手順として、予め定められた数のパケットを受信する毎に、平均の伝送速度を求める手順を記憶することを特徴とする無線通信端末。
【請求項１２】
請求項７乃至１０のいずれかに記載の無線通信端末において、前記第２の記憶装置は、前記統計処理手順として、予め定められた時間毎に、送受信したパケットの数を求める手順を記憶することを特徴とする無線通信端末。
【請求項１３】
請求項７乃至１０のいずれかに記載の無線通信端末において、前記第２の記憶装置は、前記統計処理手順として、予め定められた数のパケットを送受信する毎に、パケットを大きさに応じて区分して、各区分の構成比を求める手順を記憶することを特徴とする無線通信端末。
【請求項１４】
請求項７乃至１３のいずれかに記載の無線通信端末において、更に、前記統計処理手順に従って統計処理を実行するか否かを設定するための記憶装置を備え、前記処理装置は、前記記憶装置の設定に従って動作することを特徴とする無線通信端末。
【請求項１５】
パケットの１パケット当たりのデータ量及び単位時間当たりに送出するパケット数が、通信状況に応じて変化するパケット通信を行なう無線通信端末に、伝送したパケットに関する統計処理を実行させるプログラムにおいて、
受信したパケットの数及び１パケット当たりのデータ量を記憶する処理１と、予め定められた統計処理手順に従って、記憶した前記パケット数及びデータ量を処理する処理２と、
前記処理の結果を記憶する処理３と
を含むことを特徴とするプログラム。
【請求項１６】
請求項１５に記載のプログラムにおいて、
更に、前記無線通信端末の位置情報を取得する処理を含み、
前記処理１にて更に前記無線通信端末の位置情報を記憶し、
前記処理２で前記位置情報を参照して前記処理を行なう
ことを特徴とするプログラム。
【請求項１７】
請求項１６に記載のプログラムにおいて、前記無線通信端末はＧＰＳ（Ｇｌｏｂａｌ　Ｐｏｓｉｔｉｏｎｉｎｇ　Ｓｙｓｔｅｍ）を備え、前記位置情報を前記ＧＰＳから取得する処理を含むことを特徴とするプログラム。
【請求項１８】
請求項１５乃至１７のいずれかに記載のプログラムにおいて、予め用意された複数の前記統計処理手順の中から、前記処理２にて実行する前記統計処理手順を選択する処理を更に含むことを特徴とするプログラム。
【請求項１９】
請求項１５乃至１８のいずれかに記載のプログラムにおいて、前記統計処理手順は、予め定められた数のパケットを受信する毎に、平均の伝送速度を求めることを特徴とするプログラム。
【請求項２０】
請求項１５乃至１８のいずれかに記載のプログラムにおいて、前記統計処理手順は、予め定められた時間毎に、送受信したパケットの数を求めることを特徴とするプログラム。
【請求項２１】
請求項１５乃至１８のいずれかに記載のプログラムにおいて、前記統計処理手順は、予め定められた数のパケットを送受信する毎に、パケットを大きさに応じて区分して、各区分の構成比を求めることを特徴とするプログラム。
【請求項２２】
請求項１５乃至２１に記載のプログラムを格納した記憶媒体。
【請求項２３】
請求項２２に記載の記憶媒体を備え、前記プログラムに従って動作する無線通信端末。
【発明の詳細な説明】
【０００１】
【発明の属する技術分野】
本発明は、無線通信端末によるパケット通信に関し、特に、パケット通信にて伝送したデータ量の計測に関する。
【０００２】
【従来の技術】
通信状況に応じて変調方式や符号化率を変化させ、一ユーザが複数のタイムスロットを使用することにより、通信状況に応じた伝送速度を実現する通信方式として、例えば、ＧＰＲＳ（Ｇｅｎｅｒａｌ　Ｐａｃｋｅｔ　Ｒａｄｉｏ　Ｓｅｒｖｉｃｅ）やＥＤＧＥ（Ｅｎｈａｎｃｅｄ　Ｄａｔａ　Ｒａｔｅｓ　ｆｏｒ　ＧＳＭ　Ｅｖｏｌｕｔｉｏｎ）がある。
【０００３】
これらの通信方式では、パケット毎のデータ量が変化し、かつ、単位時間当たりに送受信するパケット数が変化する。このため、データの送受信により発生する通信料、伝送速度と通信時間、受信したデータのサイズ等が把握しにくいという問題がある。
【０００４】
【発明が解決しようとする課題】
本発明はこのような状況に鑑みてなされたものであり、本発明が解決しようとする課題は、パケット毎のデータ量が変化し、かつ、単位時間当たりに送受信するパケット数が変化するパケット通信を行なう無線通信端末にて、送受信したデータ量の測定、伝送速度の測定や、通信料の算出等を行なうことができるようにする技術を提供することである。
【０００５】
【課題を解決するための手段】
上述の課題を解決するため、本発明は以下のような、無線通信端末のパケット統計処理方法、プログラム及び無線通信端末を提供する。
【０００６】
即ち、本発明は、１パケット当たりのデータ量及び単位時間当たりに送出するパケット数が、通信状況に応じて変化するパケット通信を行なう無線通信端末で、伝送したパケットに関する統計処理を行なう方法を提供するものであり、本発明の方法は、受信したパケットの数及び１パケット当たりのデータ量を記憶する段階１と、予め定められた統計処理手順に従って、記憶したパケット数及びデータ量を処理する段階２と、処理の結果を記憶する段階３とを含むことを特徴とする。
【０００７】
これにより、１パケット当たりのデータ量及び単位時間当たりに送出するパケット数が、通信状況に応じて変化するパケット通信であっても、伝送したデータ量を始めとして、伝送速度や従量課金制の場合におけるパケット通信料金等を計算することが可能となる。
【０００８】
この無線通信端末のパケット統計処理方法は、更に、無線通信端末の位置情報を記憶して、段階２で位置情報を参照して処理を行なうこととしてもよい。このとき、無線通信端末がＧＰＳ（Ｇｌｏｂａｌ　Ｐｏｓｉｔｉｏｎｉｎｇ　Ｓｙｓｔｅｍ）を備えるのであれば、位置情報をＧＰＳから取得することとしてもよい。
【０００９】
この無線通信端末のパケット統計処理方法において、統計処理手順の例としては、予め定められた数のパケットを受信する毎に、平均の伝送速度を求めることが考えられる。また、予め定められた時間毎に、送受信したパケットの数を求めることが考えられる。更に、予め定められた数のパケットを送受信する毎に、パケットを大きさに応じて区分して、各区分の構成比を求めることが考えられる。
【００１０】
また、本発明は、１パケット当たりのデータ量及び単位時間当たりに送出するパケット数が、通信状況に応じて変化するパケット通信を行なう無線通信端末において、次のような特徴を有するものを提供する。即ち、受信したパケットの数及び１パケット当たりのデータ量を記憶する第１の記憶装置と、統計処理手順を記憶する第２の記憶装置と、統計処理手順に従って、第１の記憶装置に記憶されたパケット数及びデータ量を処理する処理装置と、処理装置の出力を記憶する第３の記憶装置とを備えることである。
【００１１】
この無線通信端末は、更に、無線通信端末の位置情報を取得する手段を備えると共に、第１の記憶装置は更に位置情報取得手段から取得した位置情報を記憶し、処理装置は位置情報を参照して処理を行なうこととしてもよい。位置情報取得手段としては例えばＧＰＳが考えられる。
【００１２】
この無線通信端末は、第２の記憶装置の中に複数の統計処理手順を格納すると共に、処理装置が複数の統計処理手順のいずれかに従って処理を実行することとしてもよい。
【００１３】
第２の記憶装置に格納される統計処理手順としては、例えば、予め定められた数のパケットを受信する毎に、平均の伝送速度を求める手順を記憶する手順、予め定められた時間毎に、送受信したパケットの数を求める手順を記憶する手順、或いは、予め定められた数のパケットを送受信する毎に、パケットを大きさに応じて区分して、各区分の構成比を求める手順が考えられる。
【００１４】
この無線通信端末は、更に、統計処理手順に従って統計処理を実行するか否かを設定するための記憶装置を備えるものとしてもよい。処理装置は記憶装置の設定に従って動作することとする。こうすれば、統計処理を実行するか否かを、記憶装置に記憶記憶する設定により変更することができる。
【００１５】
更に、本発明は、１パケット当たりのデータ量及び単位時間当たりに送出するパケット数が、通信状況に応じて変化するパケット通信を行なう無線通信端末に、伝送したパケットに関する統計処理を実行させるプログラムにおいて、次のような特徴を有するものを提供する。即ち、受信したパケットの数及び１パケット当たりのデータ量を記憶する処理１と、予め定められた統計処理手順に従って、記憶したパケット数及びデータ量を処理する処理２と、処理の結果を記憶する処理３とを含むことを特徴とするプログラムである。
【００１６】
このプログラムは、更に、無線通信端末の位置情報を取得する処理を含み、処理１にて更に無線通信端末の位置情報を記憶し、処理２で位置情報を参照して処理を行なうこととしてもよい。
【００１７】
無線通信端末がＧＰＳを備える場合、このプログラムは位置情報をＧＰＳから取得する処理を含むこととしてもよい。
【００１８】
このプログラムは、予め用意された複数の統計処理手順の中から、処理２にて実行する統計処理手順を選択する処理を更に含むこととしてもよい。
【００１９】
このプログラムにおいて、統計処理手順は、予め定められた数のパケットを受信する毎に、平均の伝送速度を求めることとしてもよい。たは、予め定められた時間毎に、送受信したパケットの数を求めることとしてもよい。あるいは、予め定められた数のパケットを送受信する毎に、パケットを大きさに応じて区分して、各区分の構成比を求めることとしてもよい。
【００２０】
更に、本発明は、上述のプログラムを格納した記憶媒体、及び、この記憶媒体を備え、上述のプログラムに従って動作する無線通信端末を提供する。
【００２１】
【発明の実施の形態】
本発明の第１の実施の形態である無線通信端末１００について図面を参照して以下に説明する。無線通信端末１００は、不図示の無線基地局と通信可能な端末であって、パケット通信機能を持つものである。このパケット通信は、通信状況により送受信する１パケットあたりのデータ量が変化し、単位時間あたりに送受信するパケット数も変化する方式のものであり、例えばＧＰＲＳやＥＤＧＥがこれに該当する。
【００２２】
図１を参照すると、無線通信端末１００は、無線部１０１、ベースバンド部１０２、表示・操作部１０３、制御部１０４、記憶部１０５、外部Ｉ／Ｆ１０６から構成される。更に、制御部１０４は通信状況統計部１０７を備える。記憶部１０５は伝送形態記憶部１０８、統計方法設定部１０９、統計結果記憶部１１０を備える。
【００２３】
無線部１０１はベースバンド部１０２から入力される信号を不図示の無線基地局に送信する一方、無線基地局から送信される信号を受信してベースバンド部１０２に出力する。
【００２４】
ベースバンド部１０２は、制御部１０４の制御に従い入力データのベースバンド処理を行い、無線部１０１、外部Ｉ／Ｆ１０６のいずれかにデータを出力、記憶部１０５に保存する等の動作を行う。また、ベースバンド部１０２はベースバンド処理時に抽出される単位時間あたりに送受信したパケットの数、パケット毎のデータ量を制御部１０４に出力する。
【００２５】
通信状況統計部１０７は制御部１０４の一部であり、統計方法設定部１０９に設定されている統計実行の有無を確認し、統計を実行する場合は、ベースバンド部１０２で行なわれるベースバンド処理中に抽出された単位時間あたりに送受信したパケットの数、各パケットのデータ量を記憶部１０５内の伝送形態記憶部１０８に保存する。また、統計を実行する場合、通信状況統計部１０７は統計方法設定部１０９に設定されている統計処理手順に従って、伝送形態記憶部１０８のデータを計算し、統計結果記憶部１１０に前記計算結果を保存する。
【００２６】
統計処理手順は統計方法を通信状況統計部１０７に実行させる処理手順である。統計方法の例としては、設定したパケット数を送受信する毎に平均の伝送速度を求める、設定した時間毎で送受信したパケット数を求める、設定したパケット数を送受信する毎に各パケットでのデータ量がどの程度だったかを示す構成比を求める等が挙げられる。
【００２７】
表示・操作部１０３は制御部１０４が指定する文字、画像等のデータを記憶部１０５から参照し表示し、操作部からユーザーが入力した操作内容を制御部１０４に出力する。
【００２８】
制御部１０４は無線部１０１、ベースバンド部１０２、通信状況統計部１０７、表示・操作部１０３、記憶部１０５、外部Ｉ／Ｆ１０６の制御を行う。
【００２９】
記憶部１０５は制御部１０４の指定するデータを内部に保存する。記憶部１０５の中で、伝送形態記憶部１０８は、ベースバンド部１０２で行なわれるベースバンド処理の際に抽出される単位時間あたりに送受信したパケットの数、各パケットのデータ量を保存する場所である。また、統計方法設定部１０９は、表示・操作部１０３等から制御部１０４に要求された統計方法の設定、統計実行の有無の設定を保存する場所である。更に、統計結果記憶部１１０は、通信状況統計部１０３が計算した統計結果のデータを保存する場所である。
【００３０】
外部Ｉ／Ｆ１０６は無線通信端末１００のデータを外部に出力し、無線通信端末１００内に外部からのデータを入力するインターフェイスとなる。
【００３１】
次に無線通信端末１００の動作について詳細に説明する。
【００３２】
ベースバンド部１０２は、ベースバンド処理時に抽出される単位時間あたりに送受信したパケットの数と、各パケットのデータ量とを制御部１０４に出力する（ステップＡ１）。
【００３３】
ベースバンド部１０２からパケットの数とそれぞれのデータ量とを受け取ると、制御部１０４は統計方法設定部１０９に格納されている統計実行設定を参照する（ステップＡ２）。統計実行設定は、パケット通信の通信状況に関する統計（通信状況統計）を実行するか否かの設定である。制御部１０４は統計実行設定に応じて通信状況統計を実行するかを決定する（ステップＡ３）。
【００３４】
ここで、統計実行設定が通信状況統計を行なわない設定である場合、ステップＡ１にて取得したパケット数及びデータ量を保存せず（ステップＡ４）、再びステップＡ１に戻る。
【００３５】
他方、統計実行設定が通信状況統計を行なう設定である場合、ステップＡ１にて取得したパケット数及びデータ量を伝送形態記憶部１０８に保存（ステップＡ５）した後、再びステップＡ１に戻る。
【００３６】
このようにして、制御部１０４は、統計実行設定に応じて、単位時間あたりに送受信したパケットの数、及び、各パケットのデータ量を、伝送形態記憶部１０８に保存する。この後、通信状況統計部１０７は、伝送形態記憶部１０８に保存されたデータを元に対して統計処理を行なう。
【００３７】
図３を参照して説明すると、まず、通信状況統計部１０７は、統計方法設定部１０９に予め格納されている統計処理手順を参照する（ステップＢ１）。統計方法設定部１０９は統計処理手順を複数格納していてもよい。この場合は、無線通信端末１００の利用者が表示・操作部１０３を介して行なう操作や、制御部１０４による制御に応じて統計処理手順を選択する。次に、参照した統計処理手順に従って、伝送形態記憶部１０８に格納されているデータに対して処理を実行する（ステップＢ２）。最後に、ステップＢ２の処理結果を統計結果記憶部１１０に格納する（ステップＢ３）。この後、利用者による操作その他必要に応じて、制御部１０４は、統計結果記憶部１１０にアクセスし、統計処理結果を表示・操作部１０３に表示する。
【００３８】
以上、無線通信端末１００には、制御部に通信状況統計部を設けると共に、記憶部に伝送形態記憶部及び統計方法設定部を設けた。これにより、通信状況に応じて送受信する個々のパケットのデータ量と単位時間あたりに送受信するパケット数の両方が変化するようなパケット通信であっても、統計方法設定部に格納した統計処理手順に従って統計処理を実行することができる。また、統計実行設定に応じて統計処理を実行するので、パケット数やパケットのデータ量のように統計処理に必要なデータを、統計処理を実行するときだけ保存することができる。従って、統計処理に不要なデータを保存することがなく、伝送形態記憶部の記憶容量を必要以上に大きくせずに済む。
【００３９】
このように、無線通信端末１００によれば、送受信したデータ量を算出し、更に、平均の伝送速度や、従量制で課金する際の通信料金等を算出することができる。従って、無線通信端末１００によれば、その利用者は、パケット通信による通信結果の詳細を把握することが可能となる。
【００４０】
続いて、本発明の第２の実施の形態である無線通信端末２００について図４を参照して説明する。無線通信端末２００は、上述の無線通信端末１００の構成に加えて、位置情報検出部２０１を備える。尚、無線通信端末１００及び２００の間で対応する機能ブロックには同じ参照符号を付してある。また、特に説明のない機能ブロックについては無線通信端末１００と同様である。
【００４１】
位置情報検出部２０１は、例えばＧＰＳ（Ｇｌｏｂａｌ　Ｐｏｓｉｔｉｏｎｉｇ　Ｓｙｓｔｅｍ）のような無線通信端末２００の現在位置を計測する装置であり、現在位置を位置データとして制御部１０４に出力する。これに対応して、通信状況統計部１０７は、ベースバンド部１０２が出力する個々のパケットのデータ量と単位時間あたりに送受信するパケット数とに加えて、更に、位置情報検出部２０１が出力する位置データを参照する。
【００４２】
図５を参照して無線通信端末２００の動作について説明する。制御部１０４は、ベースバンド部１０２から個々のパケットのデータ量と単位時間あたりに送受信するパケット数とを取得（ステップＣ１）すると共に、位置情報検出部２０１から、ＧＰＳ等により使用している基地局、現在位置等の位置データを取得する（ステップＣ２）。次に、制御部１０４は、統計方法設定部１０８にアクセスして統計実行設定の内容を確認する（ステップＣ３、Ｃ４）。
【００４３】
ここで、統計処理を実行しないのであれば、取得したパケット数、データ量及び位置データを保存せず（ステップＣ５）にステップＣ１に戻る。
【００４４】
他方、統計処理を実行するのであれば、ベースバンド部１０２のベースバンド処理中に抽出される単位時間あたりに送受信したパケットの数、個々のパケットのデータ量と共に、位置情報検出部２０１が検出した位置データを伝送形態記憶部１０８に保存（ステップＣ６）し、ステップＣ１に戻る。
【００４５】
こうして伝送形態記憶部１０８に各データを保存した後、統計処理を実行する際の通信状況統計部の動作については、細部に違いがあるが概略は第１の実施の形態と同様であるので、図３を再び参照して説明する。統計処理を実行する際、通信状況統計部１０７は、統計方法設定部１０９に予め格納した統計処理手順を参照する（ステップＢ１）。第１の実施の形態と異なり、ここでの統計処理手順は位置データに関する処理を含むものである。
【００４６】
このような統計処理手順の具体例としては、無線通信端末２００の所在地別、例えば自宅と外出先での伝送速度やパケット通信料金を計算し、両者を比較する手順がある。
【００４７】
次に、伝送形態記憶部１０８に保存されているパケット数、各パケットのデータ量及び位置データを、ステップＢ１にて参照した統計処理手順に従って処理する（ステップＢ２）。
【００４８】
最後に、ステップＢ２の処理により得られたデータを統計結果記憶部１１０に保存する（ステップＢ）。
【００４９】
このように、無線通信端末２００によれば、その利用者は、パケット通信による通信結果の詳細を、通信を行なった場所別に把握することが可能になる。
【００５０】
以上、本発明を実施の形態に基づいて説明したが、本発明はこれに限定されるものではなく、当業者の通常の知識の範囲内でその変更や改良が可能であることは勿論である。
【００５１】
【発明の効果】
本発明によれば、送受信したデータ量を算出し、これを元にして更に、平均の伝送速度や、従量制で課金する際の通信料金等を算出することができる。従って、本発明によれば、パケット通信による通信結果の詳細を把握することが可能となる。
【００５２】
また、本発明によれば、パケット通信による通信結果の詳細を、通信を行なった場所別に把握することが可能になる。
【図面の簡単な説明】
【図１】本発明の第１の実施の形態である無線通信端末１００の機能ブロック図である。
【図２】無線通信端末１００の制御部１０４の動作を説明するためのフローチャートである。
【図３】無線通信端末１００の通信状況統計部１０７の動作を説明するためのフローチャートである。
【図４】本発明の第２の実施の形態である無線通信端末２００の機能ブロック図である。
【図５】無線通信端末２００の制御部１０４の動作を説明するためのフローチャートである。
【符号の説明】
１００、２００　　無線通信端末
１０１　　無線部
１０２　　ベースバンド部
１０３　　表示・操作部
１０４　　制御部
１０５　　記憶部
１０６　　外部Ｉ／Ｆ
１０７　　通信状況統計部
１０８　　伝送形態記憶部
１０９　　統計方法設定部
１１０　　統計結果記憶部
２０１　　位置情報検出部
【図１】
2004032020.tif 000003
【図２】
2004032020.tif 000004
【図３】
2004032020.tif 000005
【図４】
2004032020.tif 000006
【図５】
2004032020.tif 000007